(57)【特許請求の範囲】
【請求項１】
液体（３）を溜める液溜体（１）に、正圧または負圧をかける手段による圧力の調節方法であり、
該液溜体（１）には、圧力調整用の気体（４）も含まれ、
該液溜体（１）と、正圧または負圧をかける手段と、気体を溜める付属タンク（１２）とは、液溜体（１）と正圧または負圧をかける手段とが第１導管（８）、第２電磁弁（１０）、第２導管及び第３電磁弁（１１）を介してつながっており、付属タンク（１２）と液溜体（１）とが第１電磁弁（９）及び第１導管（８）を介してつながっており、付属タンク（１２）と正圧または負圧をかける手段とが第１電磁弁（９）、第３導管、第２電磁弁（１０）、第２導管及び第３電磁弁（１１）を介してつながっており、
該第１電磁弁（９）は、休止状態で付属タンク（１２）を第２電磁弁（１０）に接続された第３導管につなぎ、起動した状態では付属タンク（１２）を液溜体（１）に接続された第１導管（８）につなぐものであり、
該第２電磁弁（１０）は、休止状態で第３電磁弁（１１）を第１電磁弁（９）から出ている第３導管につなぎ、起動した状態では第３電磁弁（１１）を液溜体（１）に接続された第１導管（８）につなぐものであり、
該第３電磁弁（１１）は、休止状態で第２電磁弁（１０）から出ている第２導管を負圧をかける手段につなぎ、起動した状態では第２電磁弁（１０）から出ている第２導管を正圧をかける手段につなぐものであり、
液溜体（１）と正圧をかける手段とを連通するには、第１電磁弁（９）を休止状態にし、第２電磁弁（１０）及び第３電磁弁（１１）を起動状態にするものであり、
液溜体（１）と負圧をかける手段とを連通するには、第１電磁弁（９）を休止状態にし、第２電磁弁（１０）を起動状態にし、第３電磁弁（１１）を休止状態にするものであり、
液溜体（１）と付属タンク（１２）とを連通するには、第１電磁弁（９）を起動状態にし、第２電磁弁（１０）を休止状態にするものであり、
付属タンク（１２）と正圧をかける手段とを連通するには、第１電磁弁（９）及び第２電磁弁（１０）を休止状態にし、第３電磁弁（１１）を起動状態にするものであり、
付属タンク（１２）と負圧をかける手段とを連通するには、第１電磁弁（９）、第２電磁弁（１０）及び第３電磁弁（１１）を休止状態にするものであり、
該方法が、
（ａ）該液溜体の気体（４）の圧力について、最小閾値、最大閾値、前記最小閾値よりも小さい急速調節の最小閾値、前記最大閾値よりも大きい急速調節の最大閾値の各値を設定する過程と、
（ｂ）液溜体（１）にある気体（４）の圧力を測定する過程と、
（ｃ）液溜体（１）にある気体（４）の圧力の測定値と、急速調節の最小閾値と急速調節の最大閾値とを比較し、
（ｃ１）液溜体（１）にある気体の圧力が、急速調節の最大閾値を上回る場合には、第１電磁弁（９）を休止状態にし、第２電磁弁（１０）を起動状態にし、第３電磁弁（１１）を休止状態にして、液溜体（１）の圧力が急速調節の最大閾値を示すまで、液溜体（１）を、負圧をかける手段に連通し、
（ｃ２）液溜体（１）にある気体の圧力が、急速調節の最小閾値を下回る場合には、第１電磁弁（９）を休止状態にし、第２電磁弁（１０）及び第３電磁弁（１１）を起動状態にして、液溜体（１）の圧力が急速調節の最小閾値を示すまで、液溜体（１）を、正圧をかける手段に連通する過程と、
（ｄ）液溜体（１）にある気体（４）の圧力の測定値と、最小閾値と最大閾値とを比較し、
（ｄ１）液溜体（１）にある気体（４）の圧力の測定値が、圧力の最大閾値を上回る場合には、第２電磁弁（１０）及び第３電磁弁（１１）を休止状態にしつつ、第１電磁弁（９）について休止状態と起動状態との切り替えを行い、付属タンク（１２）と負圧をかける手段を連通することと、付属タンク（１２）と液溜体（１）とを連通することとを繰り返すことで、液溜体（１）の圧力が最大閾値を下回るようにし、
（ｄ２）液溜体（１）にある気体（４）の圧力の測定値が、圧力の最小閾値を下回る場合には、第２電磁弁（１０）を休止状態にし、第３電磁弁（１１）を起動状態にしつつ、第１電磁弁（９）について休止状態と起動状態との切り替えを行い、付属タンク（１２）と正圧をかける手段を連通することと、付属タンク（１２）と液溜体（１）とを連通することとを繰り返すことで、液溜体（１）の圧力が最小閾値を上回るようにする過程とを、この順に含むことを特徴とする、圧力調節方法。
【請求項２】
印刷ヘッド用の正圧または負圧を加える装置のための調節装置であって、
液体（３）を溜め、圧力調整用の気体（４）も含む液溜体（１）と、正圧または負圧をかける手段と、気体を溜める付属タンク（１２）と、測定手段（１３）と、設定する手段と、コントロール手段（１４）とを備え、
液溜体（１）と正圧または負圧をかける手段とが、第１導管（８）、第２電磁弁（１０）、第２導管及び第３電磁弁（１１）を介してつながっており、
付属タンク（１２）と液溜体（１）とが、第１電磁弁（９）及び第１導管（８）を介してつながっており、
付属タンク（１２）と正圧または負圧をかける手段とが、第１電磁弁（９）、第３導管、第２電磁弁（１０）、第２導管及び第３電磁弁（１１）を介してつながっており、
該第１電磁弁（９）は、休止状態で付属タンク（１２）を第２電磁弁（１０）に接続された第３導管につなぎ、起動した状態では付属タンク（１２）を液溜体（１）に接続された第１導管（８）につなぐものであり、
該第２電磁弁（１０）は、休止状態で第３電磁弁（１１）を第１電磁弁（９）から出ている第３導管につなぎ、起動した状態では第３電磁弁（１１）を液溜体（１）に接続された第１導管（８）につなぐものであり、
該第３電磁弁（１１）は、休止状態で第２電磁弁（１０）から出ている第２導管を負圧をかける手段につなぎ、起動した状態では第２電磁弁（１０）から出ている第２導管を正圧をかける手段につなぐものであり、
前記測定手段（１３）は、液溜体（１）にある気体（４）の圧力を測定するものであり、
前記設定する手段は、該液溜体（１）の気体（４）の圧力値と比較するための、最小閾値、最大閾値、前記最小閾値よりも小さい急速調節の最小閾値、前記最大閾値よりも大きい急速調節の最大閾値の各値を設定するものであり、
前記コントロール手段（１４）は、
まず、前記測定手段（１３）により測定された液溜体（１）の気体（４）の圧力値と、前記設定する手段により設定された急速調節の最小閾値及び急速調節の最大閾値とを比較し、前記圧力値が急速調節の最大閾値を上回る場合には、前記圧力値が急速調節の最大閾値を示すまで、第１電磁弁（９）及び第３電磁弁（１１）を休止状態にするとともに、第２電磁弁（１０）を起動状態にして、液溜体（１）と負圧をかける手段とを連通させ、前記圧力値が急速調節の最小閾値を下回る場合には、前記圧力値が急速調節の最小閾値を示すまで、第１電磁弁（９）を休止状態にするとともに、第２電磁弁（１０）及び第３電磁弁（１１）を起動状態にして、液溜体（１）と正圧をかける手段とを連通させ、
次に、前記測定手段（１３）により測定された液溜体（１）の気体（４）の圧力値と、前記設定する手段により設定された最小閾値及び最大閾値とを比較し、前記圧力値が最大閾値を上回る場合には、前記圧力値が最大閾値を下回るまで、第２電磁弁（１０）及び第３電磁弁（１１）を休止状態にしつつ、第１電磁弁（９）について休止状態と起動状態の切り替えを行って、付属タンク（１２）と負圧をかける手段とを連通させることと、付属タンク（１２）と液溜体（１）を連通させることとを繰り返し、前記圧力値が最小閾値を下回る場合には、前記圧力値が最小閾値を上回るまで、第２電磁弁（１０）を休止状態にし、第３電磁弁（１１）を起動状態にしつつ、第１電磁弁（９）について休止状態と起動状態の切り替えを行って、付属タンク（１２）と正圧をかける手段とを連通させることと、付属タンク（１２）と液溜体（１）とを連通させることとを繰り返す
ものである、請求項１に記載の圧力調節方法を実施する調節装置。
【発明の詳細な説明】
【技術分野】
【０００１】
本発明は、特に、液体の高さよりも下に開口が位置する開口付き液溜体の中に液体を維持するのに応用された減圧装置のための調節方法と装置に関するものであり、それにより、重力によって起こる液体の流出を妨げるようにするものである。
【背景技術】
【０００２】
本発明は、特に、「インク噴射」型の印刷システムのヘッドに応用されるものである。
【０００３】
このような印刷ヘッドは、開口を備えるインク・タンクで構成されており、該開口は、インクを充填する高さよりも下に位置しており、開口を通して、インクの微細な滴を、印刷の下地に向かって噴きつけるための、特に圧電式の手段を備えている。このような微細なインクの数多くの滴を適切な箇所に噴きつけることにより、所望の印刷を実現することになる。
【０００４】
噴きつけの段階でなければ、インクは、重力で開口から流れそうになっても、インクを液溜体の中に維持しておかなければならない。
【０００５】
効果的な解決法は、減圧装置を用いて、液溜体の中でインクの上にある気体の圧力を、気圧を下回るように維持することである。
【０００６】
インク噴射式印刷ヘッドの内部にインクを正確に維持しておくには、非常に精密な減圧調節が必要で、それにより、減圧が余りにも弱い場合に、開口からインクが流れだしたり、あるいは、減圧が強すぎて、その同じ開口から空気が入ったりすることのないようにしなければならない。
【０００７】
そのような減圧調節方法と装置は、先行技術で知られている。
【０００８】
例えば、米国特許第５１８９４３８号明細書に記載されている装置では、真空ポンプを、インクの高さの上で、液溜体につなぎ、常時起動の状態にしておく。減圧の計量は、同様にインクの高さの上に位置する、キャリブレーション抜き孔により得られる。
【特許文献１】米国特許第５１８９４３８号明細書
【発明の開示】
【発明が解決しようとする課題】
【０００９】
しかしながら、このような、真空を排出する機械的なキャリブレーションの原理に基づく装置は、かなりの数の不都合を呈している。
【００１０】
実際、そのようにして得られた減圧の値は、機械的要素によって決まるのであり、それゆえに、インクを最適に維持するのを確実に行うのに十分な精密さを呈していない。
【００１１】
同様の理由で、このような調節装置の作動の安全性が十分とは言えないのは、気体導管と排気口とがどれほど清潔かにもよるし、外部の環境に左右されるところが余りに大きいからである。
【００１２】
更に、既に知られている装置では、液溜体の中に維持すべき減圧の設定値の調節が不自由である。設定値を変化させることは、結局は、別の口径の孔によって排気口を物理的に変化させることになり、このことは、印刷ヘッドが作動している間に、機械を止めずにできることではない。
【００１３】
本発明の目的は、先行技術のそのような不都合を解消することである。
【課題を解決するための手段】
【００１４】
本発明の課題を解決するための第１の手段を、次に示す。
液体を溜める液溜体に、正圧または負圧をかける手段による圧力の調節方法であり、
該液溜体には、圧力調整用の気体も含み、
該方法が、
ａ）該液溜体の気体について、圧力の設定値を規定する過程と、
ｂ）液溜体にある気体の圧力を測定する過程と、
ｃ）液溜体にある気体の圧力の測定値と、圧力の設定値とを比較する過程と、
ｄ）液溜体にある気体の圧力の測定値が、圧力の設定値を上回る場合には、設定値より低い圧力の気体を溜める付属タンクと液溜体と連通することで、気体の容積を調整して液溜体に負圧をかける過程と、
ｅ）液溜体にある気体の圧力の測定値が、圧力の設定値を下回る場合には、設定値より高い圧力の気体を溜める付属タンクと液溜体と連通することで、気体の容積を調整して液溜体に正圧をかける過程とを含む。
【００１５】
ここで高い圧力の気体というのは、圧力が、圧力の設定値を上回る気体を言う。同様に、低い圧力の気体というのは、圧力が、圧力の設定値を下回る気体を言う。
【００１６】
上記の方法は、圧力の設定値が気圧を下回る場合には、負圧調節に応用され、圧力の設定値が外気の圧力を上回る場合には、正圧の調節に応用される。
【００１７】
部分的な真空が得られるようにするために、その方法を応用する場合には、負圧が強すぎるなら、圧力の設定値を上回る正圧の気体を、液溜体の中に注入し、もしくは、負圧が弱すぎるなら、圧力の設定値を上回る正圧の気体を、液溜体の中から排除して、調節を行うことになる。
【００１８】
調節は、液溜体の中に気体を注入したり、そこから気体を排除したりすることで行うが、調節用の気体の容積によって変化の様子が左右される。
それゆえ、気体の容積を調節することで、マイクロコンピューターであろうと、オートマトンであろうと、あるいはワイヤードロジックゲート付きの装置であろうと、本発明による方法の実施の際には左右されずに、１０Ｐａ（０．１ミリバール）を下回る変化を得るのは容易である。
【００１９】
方法の効率は、どのようなレベルの圧力の調節を行うかには左右されない。維持するのが最も困難な、気圧のすぐ近くで、ずっとそれを下回っている、小さな値の減圧のためにこそ、いっそう、その方法の真価が発揮される。
【００２０】
調節を一巡させるために、測定する過程（ｂ）と、比較する過程（ｃ）と、そして負圧をかける過程（ｄ）または正圧をかける過程（ｅ）とを、一定の間隔で連続的に繰り返し行うことができる。
【００２１】
その方法の途中で、圧力の設定値を新しく規定しなおし、そのような設定値を改めて規定する場合には、新しく規定しなおした圧力の設定値を計算に入れて、測定する過程（ｂ）と、比較する過程（ｃ）と、そして負圧をかける過程（ｄ）または正圧をかける過程（ｅ）とを、連続的に実行することもできる。
【００２２】
本発明による方法では、その場合、制御ループができ、それにより確実に、圧力の設定値を変えるたびに、液溜体の内部圧力が、その結果、調節されることになっている。
【００２３】
もう一つ別の実施態様によると、本発明による方法は、
圧力を測定する過程（ｂ）の前に、
ａ１）圧力の設定値を基準として、急速調節の最小圧力閾値と急速調節の最大圧力閾値とで範囲を規定する過程を含み、
比較する過程（ｃ）の前に、
ｂ１）液溜体にある気体の圧力の測定値と、急速調節の最小圧力閾値及び最大圧力閾値とを比較する過程と、
ｂ２）液溜体にある気体の圧力が、急速調節の最大圧力閾値を上回る場合には、液溜体を負圧器の継続的供給源に、圧力が設定値に近い値を示すまで付属タンクを介することなく連通することで負圧をかける過程と、
ｂ３）液溜体にある気体の圧力が、急速調節の最小圧力閾値を下回る場合には、液溜体を正圧器の継続的供給源に、圧力の設定値に近い値を示すまで付属タンクを介することなく連通することで正圧をかける過程とを含む。
【００２４】
この実施態様によると、調節は、連続的な二段階で行われる。
・調節を急速かつ大まかに行う第１段階では、正圧気体または負圧気体の供給源を、液溜体の上に直に分岐させることにより、液溜体の内部圧力を、圧力の設定値の近くにまで到達させることを非常に急速に行うことが可能であり、
・調節を非常にきめ細かく行う第２段階では、調節用の気体の容積を調節することにより、液溜体の内部圧力を、圧力の設定値に最も近いところにまで、近づけることができる。
【００２５】
特殊な実施態様においては、圧力の設定値は、設定値の最小圧力閾値と設定値の最大圧力閾値とを含む。
【００２６】
本発明はまた、前記の調節方法を実施する、次の調節装置も対象とする。
液体の液溜体に更に気体も含む印刷ヘッド用の、正圧または負圧を加える装置のための調節装置であり、
液溜体に連通する付属タンクと、
付属タンクに正圧または負圧の気体を充填する充填手段と、
・付属タンクと、液体の液溜体とを連通する連通手段と、
・液体の液溜体の中にある気体の圧力を測定する測定手段と、
・測定手段と連携して、充填手段と連通手段とを起動するコントロール手段を含み、
更に、付属タンクに正圧または負圧の気体を充填する充填手段の継続的供給源を、液体の液溜体に、付属タンクを介することなく連通する連通手段を含むことで、液溜体に付属タンクを介することなく正圧または負圧の気体を充填する充填手段を含むことを特徴とする、調節装置。
【００２７】
付属タンクの気体を、液溜体に用いることで装置は信頼できるものになり、操縦システムにも無頓着なものにできるが、それは、例えば電磁弁のような起動器を用いたりして、連通や制御の早さを求めるようなことをしないからである。
【００２８】
この調節装置は更に、液溜体の中の気体の圧力の設定値を選択する手段を含むことができ、前記手段により、調節装置が作動している間に、圧力の設定値を変更することも可能になる。
【００２９】
二つの段階を連続させて調節を行えるようにするためには、装置は更に、正圧または負圧の気体を充填する充填手段の継続的供給源を、液体の液溜体に、付属タンクを介することなく連通する連通手段を含むことができる。
【００３０】
ある実施態様によると、連通手段は、付属タンクを、充填手段か、あるいは液溜体と関連づける第１電磁弁を含む。
【００３１】
もう一つの他の実施態様によると、充填手段を、付属タンクか、あるいは付属タンクを介することなく液溜体に連通するための、第２電磁弁を含む。
【００３２】
本発明はまた、例えば、印刷用の液体の液溜体の中に更に気体を入れている、インク噴射型の、印刷ヘッド用の正圧または負圧をかける装置をも対象にしており、その装置は、正圧器と、負圧器並びに上記に説明したような調節装置とを含む。
【００３３】
ある実施態様によると、充填手段は、入口で正圧器と負圧器を受け入れ、出口で正圧器か負圧器によるいずれか一方の気体を送りだす、第３電磁弁を含む。
【００３４】
本発明はまた、プラスチックの下地の上に印刷する印刷機をも対象としており、該印刷機は、開口部を有し印刷用の液体並びに気体を含む液溜体を備えている印刷ヘッドを含み、更に上記の調節装置を含む。
【００３５】
本発明は最後に、ＩＣカード、ＣＤまたはＣＤ−ＲＯＭといった携帯可能情報媒体を製造する情報媒体製造設備を対象にしており、該情報媒体製造設備は、以上に説明したような印刷機で構成される、印刷部門を少なくとも一つ含んでいる。
【発明を実施するための最良の形態】
【００３６】
本発明の他の特徴と利点は、例として挙げた添付図面を参照しつつ以下の説明を読むことで更に明らかになる。
・図１は、インク噴射型の印刷ヘッドのインクの液溜体の、縦断面図。
・図２は、本発明による調節装置の機能図。
・図３は、携帯可能情報媒体を製造する際の情報媒体製造設備の概略図。
・図４は、本発明の動作の一例を示す図。              ｓ
【００３７】
液体３の液溜体１（図１）は、ここでは、インク噴射型の印刷ヘッドに使っている。その容積は、およそ１０の５乗立方ミリメートル（１００立方センチメートル）で、その中にインクである液体３と気体４が入っており、開口部２を備え、そこからインクの滴が排出されて下地の上に印刷されるようになっている。
【００３８】
他の応用については、粘着性や電導性のある液体のような、インクとは違う他の液体を液溜体（１）に満たしてもよい。
【００３９】
気体４の容積は、例えば、１０の４乗立方ミリメートル（１０立方センチメートル）と９．１０の４乗立方ミリメートル（９０立方センチメートル）の間に含まれる。ここでは、その気体というのは空気であるが、他の応用には、他の気体を用いてもよい。
【００４０】
印刷を行っていない時、休止状態で開口部２からインクである液体３が流れださないように、気体４を外気を下まわる圧力に維持するのに使う減圧のための調節装置は、気体４と接触した状態で孔５の上に分岐させている。それはつまり、所望の作業圧力の制御装置なのである。
【００４１】
図２では、そのような調節装置を構成しているのは、正圧器６、負圧器７、並びにそれらの供給器と液溜体１とのインターフェイスをなす装置、液溜体１の孔５の上にまで分岐してくる、調節装置の出口の導管８である。
【００４２】
調節装置を形成するものとしては、第１電磁弁９、第２電磁弁１０、第３電磁弁１１を含むが、この場合、三つとも同じで、管が三本で二通りの態勢を取れる単一安定型のものであり、その他に、付属タンク１２、産業的なプログラムが可能なオートマトンであるコントロール手段１４、データ収集インターフェイス１５、並びに減圧を測定できるバキュームスイッチである測定手段１３である。
【００４３】
例において、液溜体１の中に維持すべき圧力は負圧である。しかし、本発明は、例えば液溜体１の中に入っている液体を抜くなど、正圧の調節にも応用されるものである。
【００４４】
付属タンク１２は、５立方ミリメートルの気密性の容器で、そこから導管が一本出ている。
【００４５】
オートマトンであるコントロール手段１４は、入口で、バキュームスイッチである測定手段１３から出た圧力の測定値を受信し、出口で、第１電磁弁９、第２電磁弁１０、第３電磁弁１１のそれぞれをコントロールする。
【００４６】
データ収集インターフェイス１５も、オートマトンであるコントロール手段１４の入口で分岐しており、該オートマトンであるコントロール手段１４の内部メモリーに、装置が作動するのに必要な圧力の閾値を入力できるようになっている。
【００４７】
そのような値は、装置が作動している間はいつでも変更することが可能であり、オートマトンであるコントロール手段１４は、そのように変更された新しい値を、装置を止めることなく、計算に入れる。
【００４８】
第１電磁弁９は、休止状態で、付属タンク１２を第２電磁弁１０の入口につなぎ、そして、起動した状態では、付属タンク１２を液溜体１に接続された導管８につなぐ。
【００４９】
第２電磁弁１０は、休止状態で、第３電磁弁１１の入口を、第１電磁弁９から出ている導管につなぎ、そして、起動した状態では、その同じ第３電磁弁１１の入口を、液溜体１に接続された導管８につなぐ。
【００５０】
第３電磁弁１１は、休止状態で、第２電磁弁１０から出ている導管を、負圧器７につなぎ、そして、起動した状態では、第２電磁弁１０から出ている導管を、正圧器６につなぐ。
【００５１】
そういうわけで、第１電磁弁９、第２電磁弁１０、第３電磁弁１１が休止状態にある場合には、以下のような構成になる。
・負圧器７を、第２電磁弁１０と第３電磁弁１１とを介して、付属タンク１２に接続する。
・液溜体１に接続した導管８を、バキュームスイッチである測定手段１３に接続する。
【００５２】
オートマトンであるコントロール手段１４は、一つのメモリーの中で４つの圧力閾値を自由に使うことができ、該圧力閾値は、データ収集インターフェイス１５で伝達された、以下のものである。
・急速調節の最小閾値
・設定値の最小閾値
・設定値の最大閾値
・急速調節の最大閾値
【００５３】
一時的保留の最小及び最大の圧力閾値は、液溜体１の内部に維持したい圧力の値にごく間近な、その周辺の値を取るのであり、そのようにして、圧力調節の下限と上限を規定しており、その間で、圧力調節は、付属タンク１２と液溜体１の間でさまざまな気体の容積を調節することによって行うこととなる。
【００５４】
一方、急速調節の最小及び最大圧力閾値は、一時的保留の閾値の範囲を限定するものであり、そのようにして、設定値を基準として下限と上限を規定し、その限度を越えれば、液溜体１から直に分岐した管を、正圧器６または真空供給器である負圧器７のいずれか一つに向かって開放することになる。
【００５５】
オートマトンであるコントロール手段１４は、そのような４つの閾値の管理を、バキュームスイッチである測定手段１３によって、液溜体１の中の圧力値を定期的に読み取ることにより、そして、第１電磁弁９、第２電磁弁１０、第３電磁弁１１を、以下のような原理に従って起動することにより、行う。
・第１電磁弁９は、第２電磁弁１０を休止状態にしたままで、付属タンク１２を正圧気体または負圧気体で満たすか、あるいは付属タンク１２を、液溜体１と連通させる。
・第２電磁弁１０は、正圧器６または負圧器７を、付属タンク１２につないで充填するか、あるいは付属タンク１２を介さないで液溜体１につないで、急速調節を行う。
・第３電磁弁１１は、正圧器６または負圧器７を選択する。
【００５６】
本発明にかなう形では、上記に説明した構造の装置は、以下に示すように作動する。
【００５７】
使用者は、まず、オートマトンであるコントロール手段１４のメモリーに４つの閾値を入力し、そして該オートマトンを操作する。
【００５８】
そこでオートマトンであるコントロール手段１４は、液溜体１の中にある気体の圧力を検査し、第１電磁弁９、第２電磁弁１０、第３電磁弁１１に働きかけて、制御ループを生成し、二つの設定値の閾値の間でその圧力を維持する。
【００５９】
急速調節の第１段階が行われるとしたら、それは、液溜体１の中の圧力値が、急速調節の二つの閾値の間によって形成される範囲の外に位置している場合である。
【００６０】
液溜体１の中の圧力値が、急速調節最小圧力閾値を下回る場合には、液溜体１を付属タンク１２を介さないで正圧器６につないで、その内部の圧力が急速に急速調節最大閾値に達するようにする。
【００６１】
そのようにするために、第１電磁弁９を休止状態のままにしておいて、第２電磁弁１０を起動し、そして第３電磁弁１１を起動する。
【００６２】
同様に、液溜体１の中の圧力値が急速調節最大圧力閾値を上回る場合には、液溜体１を付属タンク１２を介さないで負圧器７につないで、その中の圧力が急速に急速調節最小閾値に達するようにする。
【００６３】
そのようにするために、第１電磁弁９を休止状態のままにしておいて、第２電磁弁１０を起動し、そして第３電磁弁１１を休止状態のままにしておく。
【００６４】
そのような第１段階についで、液溜体１の中の圧力値は、急速調節の二つの閾値の間に位置するのだが、設定値の二つの閾値によって形成される範囲からは外れている。
【００６５】
そこで、付属タンク１２を調節用の気体の容積として扱うことによって、最良の調節の第２段階が行われる。
【００６６】
液溜体１の中の圧力値が、設定値の最小圧力閾値を下回る場合には、付属タンク１２に正圧気体を充填し、その正圧気体を直ちに液溜体１の中に移送するという作業を必要な回数繰り返して、それにより、液溜体１の中の圧力値が、設定値の最小圧力閾値を上回るようにする。
【００６７】
そのようにするために、第２電磁弁１０を休止状態のままにしておいて、第３電磁弁１１を起動する。すると、一時的保留の最小閾値に達するまで、第１電磁弁９はパチパチ音をたてはじめる。これは、起動と停止とを続けざまに行われるためである。このパチパチという音は、一時的保留の最小閾値を越えるとすぐに止み、液溜体１の中の圧力がその同じ閾値より下に行くとすぐに、再開する。
【００６８】
同様に、液溜体１の中の圧力値が、設定値の最大圧力閾値を上回る場合には、第１電磁弁９のパチパチ音は、液溜体１の中の圧力を、再び設定値の最大圧力閾値を下回るところに戻して、そこに維持することができるようにするが、その際には、今度は第３電磁弁１１を休止状態のままにしておいて、それにより付属タンク１２に負圧気体を充填する。
【００６９】
この場合には、装置を液溜体１の中の減圧の調節に応用し、それにより、該液溜体１の中に維持するようにする。
【００７０】
他のもう一つの例においては、正圧の圧力を同様のやり方で調節して、液溜体１の中に入っている液体を抜くことができるようにする。その際には、例えば、一時的保留の最小圧力閾値を２５０００Ｐａ（０．２５バール）、一時的保留の最大圧力閾値を３５０００Ｐａ（０．３５バール）となるように選択する。
【００７１】
図３では、調節装置をＩＣカード、ＣＤ、ＣＤ−ＲＯＭのような携帯可能情報媒体を製造するのに応用することを示している。
【００７２】
情報媒体製造設備１７が含んでいるコンベヤー１９は、生産ラインに沿って、携帯可能情報媒体１８を一つの製造部門から次の部門へと移動させていく。
【００７３】
この情報媒体製造設備１７は、製造した媒体を組み立てた後で、電子的にもグラフィック的な面でも製品の個性化を行うための印刷部門を含んでいる。印刷部門は、インク噴射型の印刷機１６で、この場合には、携帯可能情報媒体１８のグラフィック的な個性化を確実に行うためのものであり、この印刷機１６は少なくとも一つの印刷ヘッド２０を備えており、本発明により調節した減圧で、該印刷ヘッド２０の中にインクを維持する。
【図面の簡単な説明】
【００７４】
【図１】インク噴射型の印刷ヘッドのインクの液溜体の、縦断面図。
【図２】本発明による調節装置の機能図。
【図３】携帯可能情報媒体を製造する際の情報媒体製造設備の概略図。
【図４】本発明の動作の一例を示す図。
【符号の説明】
【００７５】
１  液溜体
２  開口部
３  液体
４  気体
５  孔
６  正圧器
７  負圧器
８  導管
９  第１電磁弁
１０  第２電磁弁
１１  第３電磁弁
１２  付属タンク
１３  測定手段
１４  コントロール手段
１５  データ収集インターフェイス
【図１】
0004830167.tif 000002
【図２】
0004830167.tif 000003
【図３】
0004830167.tif 000004
【図４】
0004830167.tif 000005